(57)【要約】【課題】  大がかりな設備の空気清浄機を導入した場合に比べ、より効果的な煙害対策と省エネを実現できる遊技機を提供する。【解決手段】  ミニリール装置を備えたスロットマシンにおいて、筐体内の従来のメインリール装置設置部分に空気清浄機を備え、かつ遊技機に備え付けの灰皿近傍又は上部パネルの任意の位置に煙を吸入するための吸気口を設け、煙草の煙を吸気口から吸い上げ、空気清浄機にて清浄後、筐体外に排気する。また、煙検知センサ及び対人検知センサを筐体に設けることによって、空気清浄機の電源切り替えを自動的に行う。【選択図】  図１
2005176935.tif 000002
【特許請求の範囲】
【請求項１】
煙草の煙を吸引し、吸引された前記煙を清浄した空気に換える空気清浄手段を有することを特徴とする遊技機。
【請求項２】
小型の回転表示装置を備えた遊技機であって、
煙草の煙を吸引するための少なくとも１以上の吸気手段と、
前記吸気手段と接続され、吸引された前記煙を清浄した空気に換える空気清浄手段と、
前記空気清浄手段と接続され、清浄された前記空気を排気する排気手段と、
を有することを特徴とする遊技機。
【請求項３】
前記吸気手段は、前記遊技機の筐体に備え付けられた灰皿近傍に設けられることを特徴とする請求項２記載の遊技機。
【請求項４】
前記吸気手段は、前記遊技機の上パネル部に設けられることを特徴とする請求項２記載の遊技機。
【請求項５】
前記吸気手段と前記空気清浄手段とを接続する接続手段をさらに有し、
前記接続手段は、伸縮自在かつ自由方向に可動することを特徴とする請求項２記載の遊技機。
【請求項６】
前記筐体のメダル投入手段からのメダル投入を検知し、メダル投入検知信号を送信するメダル投入検知手段と、
前記煙草の煙を検知し、煙検知信号を送信する、少なくとも１以上の煙検知手段と、
前記メダル投入検知信号及び前記煙検知信号の両方を受信した場合、前記空気清浄手段を作動させる制御手段と、
をさらに有することを特徴とする請求項２から４のいずれ１項に記載の遊技機。
【請求項７】
遊技者の存在を検知し、対人検知信号を送信する、少なくとも１以上の対人検知手段をさらに有し、
前記制御手段は、前記メダル投入検知信号、前記煙検知信号、及び前記対人検知信号を一定時間受信している場合、前記空気清浄手段の作動を継続させることを特徴とする請求項６記載の遊技機。
【請求項８】
前記制御手段は、前記メダル投入検知信号及び前記煙検知信号の両方を一定時間受信しなかった場合、前記空気清浄手段の作動を停止させることを特徴とする請求項６又は７記載の遊技機。
【請求項９】
前記制御手段は、前記対人検知信号を一定時間受信せずに、前記煙検知信号を一定時間受信した場合、前記遊技機の外部に設置される外部報知手段を作動させることを特徴とする請求項６から８のいずれ１項に記載の遊技機。
【請求項１０】
前記制御手段は、前記空気清浄手段内又はサブ制御基板内のいずれか一方に設けられることを特徴とする請求項６から９のいずれ１項に記載の遊技機。
【請求項１１】
前記煙検知手段は、前記吸気手段近傍に設けられることを特徴とする請求項６記載の遊技機。
【請求項１２】
前記排気手段は、前記遊技機筐体の裏面を介して設けられることを特徴とする請求項２記載の遊技機。
【発明の詳細な説明】
【技術分野】
【０００１】
本発明は、遊技場における煙草の火災及び煙害を防止する遊技機に関する。
【背景技術】
【０００２】
現在、ホール等の遊技施設場において煙草の煙害がクローズアップされている。そのため、遊技場に高性能の空気清浄機を備えたり、遊技島施設に煙草の煙を吸入する機能を持った吸い殻回収装置を備えたりしている。
【０００３】
従来技術例として、各遊技島台と吸い殻回収装置が一体となり、ユニット島台として移送、運搬が可能なため、各ユニット島台を任意の位置にレイアウトしても常に自動運搬による吸い殻回収が可能となる「ユニット島台」がある（例えば、特許文献１参照）。また、受け皿部周面に一体的形成された段部をもってジュース缶等を載置でき、ジュース缶等の底面が灰皿の蓋の代わりになる「遊技島台用灰皿」がある（例えば、特許文献２参照）。
【特許文献１】特開平１０−１７９９０８号公報
【特許文献２】特開平１０−１９２５１１号公報
【発明の開示】
【発明が解決しようとする課題】
【０００４】
しかしながら、上記のような大がかりな装置を設備するためには、遊技場施設や遊技島施設の改造に膨大な手間とコストがかかるため導入のネックとなっていた。
【０００５】
本発明は、上記事情に鑑みてなされたものであり、ミニリール装置を備えたスロットマシンにおいて、筐体内の従来のメインリール装置設置部分に空気清浄機を備え、かつ遊技機に備え付けの灰皿近傍又は上部パネルの任意の位置に煙を吸入するための吸気口を設け、煙草の煙を吸気口から吸い上げ、空気清浄機にて清浄後、筐体外に排気することによって、遊技場における煙草の煙害を防止する遊技機を提供することを目的とする。
【課題を解決するための手段】
【０００６】
かかる目的を達成するために、本発明は、煙草の煙を吸引し、吸引された煙を清浄した空気に換える空気清浄手段を有することを特徴とする。
【０００７】
また、本発明は、小型の回転表示装置を備えた遊技機であって、煙草の煙を吸引するための少なくとも１以上の吸気手段と、吸気手段と接続され、吸引された煙を清浄した空気に換える空気清浄手段と、空気清浄手段と接続され、清浄された空気を排気する排気手段と、を有することを特徴とする。
【０００８】
また、本発明は、吸気手段が遊技機の筐体に備え付けられた灰皿近傍に設けられることを特徴とする。
【０００９】
また、本発明は、吸気手段が遊技機の上パネル部に設けられることを特徴とする。
【００１０】
また、本発明は、吸気手段と空気清浄手段とを接続する接続手段をさらに有し、接続手段は、伸縮自在かつ自由方向に可動することを特徴とする。
【００１１】
また、本発明は、筐体のメダル投入手段からのメダル投入を検知し、メダル投入検知信号を送信するメダル投入検知手段と、煙草の煙を検知し、煙検知信号を送信する、少なくとも１以上の煙検知手段と、メダル投入検知信号及び煙検知信号の両方を受信した場合、空気清浄手段を作動させる制御手段と、をさらに有することを特徴とする。
【００１２】
また、本発明は、遊技者の存在を検知し、対人検知信号を送信する、少なくとも１以上の対人検知手段をさらに有し、制御手段は、メダル投入検知信号、煙検知信号、及び対人検知信号を一定時間受信している場合、空気清浄手段の作動を継続させることを特徴とする。
【００１３】
また、本発明は、制御手段がメダル投入検知信号及び煙検知信号の両方を一定時間受信しなかった場合、空気清浄手段の作動を停止させることを特徴とする。
【００１４】
また、本発明は、制御手段が対人検知信号を一定時間受信せずに、煙検知信号を一定時間受信した場合、遊技機の外部に設置される外部報知手段を作動させることを特徴とする。
【００１５】
また、本発明は、制御手段が空気清浄手段内又はサブ制御基板内のいずれか一方に設けられることを特徴とする。
【００１６】
また、本発明は、煙検知手段が吸気手段近傍に設けられることを特徴とする。
【００１７】
また、本発明は、排気手段が遊技機筐体の裏面を介して設けられることを特徴とする。
【発明の効果】
【００１８】
本発明によれば、遊技機及びホールの空気清浄を比較的簡易に行えるので、大がかりな設備の空気清浄機を導入した場合に比べ、より効果的な煙害対策と省エネを実現することができる。
【発明を実施するための最良の形態】
【００１９】
以下、本発明を実施するための最良の形態について添付図面を参照して詳細に説明する。
【００２０】
図１は、本発明の一実施形態であるスロットマシンＳＭの外観を示す正面図である。
図１に示すように、スロットマシンＳＭは、前面開口を有して箱状のキャビネットボックス２と、この前面開口を覆って開閉可能に取り付けられた前面扉（フロントマスク）３とからなる筐体を有し、この筐体の各部に種々の遊技展開装置を配設して構成される。前面扉３は、キャビネットボックス２及び前面扉３の互いの左縁部に配設された上下のヒンジ機構（図示せず）により横開き可能に取り付けられ、常には右側縁に設けられた施錠装置４を利用してキャビネットボックス２に閉鎖施錠された状態で保持される。
【００２１】
前面扉３の正面上部の上部パネル１９には、小型の回転表示装置であり、かつメインリール装置であるミニリール装置３４と、左右の上部スピーカＳＬ、ＳＲ、演出用ランプ１７等が取り付けられている。ここで、上パネル部とは、下記中パネル部の上方に設けられ、主として、通常透光性を有したレンズ部材、絵や文字等が描かれた板状部材等で構成されている部分をいう。
前面扉３の正面中央の中部パネル２０には、液晶ディスプレイ等の演出表示装置１０が設備され、その下方にはメダル投入口５、スタートレバー１１、演出用ランプ１５，１６及び各ミニリールＲ１、Ｒ２、Ｒ３に対応して設けられた停止ボタン１２、１３、１４を備えている。ここで、中パネル部とは、一般的な回胴遊技機において、遊技者に相対してメインリール上に設けられた透明部を有する板状部材を含む部分をいう。
下部パネル２１の下方には、下部スピーカＳ、メダル払出口６が設けられているとともに、その下側に前方に突出する受け皿７が設けられており、ホッパ装置ＨＰから払い出された遊技メダルが、このメダル払出口６を通って受け皿７に受け止められ貯留されるようになっている。また、灰皿２２とその上方に吸気口９が設けられている。ここで、下パネル部とは、上記中パネル部の下方に設けられ、主として遊技機の型式名が描かれた板状部材を含む部分をいう。
【００２２】
図２は、本発明の一実施形態であるスロットマシンＳＭの前面扉３を開いた状態において内部構成を示した正面図である。図２に示すように前面扉３の内部には、ミニリール装置３４の裏側にサブ制御基板３５が取り付けられている。この基板は、遊技機に備えられたランプ、効果音や音楽等の音、及び演出画像の演出関係の制御を行う基板である。このサブ制御基板３５には、演出用スピーカＳＲ、ＳＬと演出用ランプ１５、１６、１７と演出表示装置１０がそれぞれ所定の配線ケーブル（図示せず）を介して配線接続されており、サブ制御基板３５に設けられている電気回路が、図８に示す主制御基板４０（図２には図示せず）からの指示に従ってこれら演出用スピーカＳＲ、ＳＬ、Ｓと演出用ランプ１５、１６、１７と演出表示装置１０を駆動することにより、遊技者の視覚や聴覚に訴える演出を行うようになっている。
【００２３】
筐体の基本構成部材であるキャビネットボックス２は、装置重量の軽量化や部材コストの低廉性、部材加工の容易性等の見地から、一般にパーチクルボードや積層合板等の木材パネルが用いられており、定型板材を所定形状に切断及びルータ加工し、メタルブッシュ（鬼目ナット）の打ち込み等を行って天板、左右の側板、底板等を形成した上、箱状に作製されている。
【００２４】
また、キャビネットボックス２の内部には、硬質プラスチックの収納ケース内に収納されたユニット構造である、主制御基板（主基板）がスロットマシンＳＭの動作を統括するために設けられている。この主制御基板を中心として、サブ制御基板、中央表示基板、電源装置基板、回胴装置基板、外部集中端子基板がそれぞれ所定のケーブルを介して配線接続されている（それぞれ図示せず）。なお、本実施例において、主制御基板は筐体内の任意の場所に設置可能とする。
【００２５】
この主制御基板には、半導体メモリＲＯＭ及びマイクロプロセッサＭＰＵ（ともに図示せず）が搭載されており、マイクロプロセッサＭＰＵが、半導体メモリＲＯＭに予め記憶されているシステムプログラムとスロットマシンゲーム用のプログラムを実行し、上記各基板を制御することによって、スロットマシンＳＭの動作状況とゲームの進行を統括管理している。具体的には、遊技機のメイン抽選、各ミニリールの制御、入力スイッチ等の管理を行っている。
【００２６】
また、キャビネットボックス２内部の底面奥部には、電源基板が金属製の基板ケースに収容されて取り付けられた電源装置ＰＷが備えられており、電源基板のアース回路と基板ケースとが電気的に接続され、この電源基板のアース回路又は基板ケースと各遊技展開装置（例えば、スタートレバーや停止ボタン等の操作装置、回胴リール装置、ホッパ装置ＨＰ、電源基板、各種制御基板など）とがアース線やアース板金等を用いて電気的に接続されている。そして、スロットマシンを遊戯施設の遊技島に設置した時に、アース線の一端を基板ケースの背面側に設けられたマシン側アース端子に接続し、他端を遊技島の島側アース端子に接続することで電源基板やこれに接続された遊技展開装置が設置されるように構成されている。
【００２７】
以上説明したように、キャビネットボックス２に取り付けられた遊技展開装置及び前面扉３に取り付けられた遊技展開装置は、図示省略するワイヤーハーネス（電気配線）により相互に接続され、スロットマシンＳＭが遊技可能に構成される。
【００２８】
このように構成されたスロットマシンＳＭでは、遊技者がメダル投入口５に遊技メダルを投入し、複数あるベットボタンＢのいずれかを押下し、スタートレバー１１を操作すると、主制御基板は、このスタートレバー１１からの信号に基づいて起動指令信号をミニリール装置３４に出力し、３つの回胴ミニリールＲ１、Ｒ２、Ｒ３を同時に回転起動させる。遊技者は回転しているリールを任意に選択し、対応する停止ボタン１２、１３、１４を所望の順序およびタイミングで操作することができ、主制御基板はこれらの停止ボタンからの操作信号に応じて停止指令信号を回胴リール装置２００に出力し、対応する回胴ミニリールＲ１、Ｒ２、Ｒ３の回転を制動停止させる。
【００２９】
回転していたミニリニールＲ１、Ｒ２、Ｒ３が全て停止すると、主制御基板により入賞図柄の判定、すなわち当たりかはずれかの判定が行われる。主制御基板は停止後にミニリール又は演出表示装置１０に表示されている図柄について、投入した遊技メダルの枚数に応じた有効ライン（上・中・下３本の水平ライン及び左・右２本の斜めライン）上での入賞図柄の判定を行う。そして、有効ライン上の図柄の組み合わせが予め設定された入賞図柄の組み合わせに該当するときには、その入賞状態に応じた払出指令信号がホッパ装置ＨＰに出力され、ホッパ装置ＨＰから所定枚数の遊技メダルが払い出される。また、このとき上部スピーカＳＲ、ＳＬ及び下部スピーカＳから入賞に応じた効果音が発生される。
【００３０】
一方、入賞図柄の判定結果、有効ライン上の図柄の組み合わせが予め設定された入賞図柄の組み合わせに該当しなかったときには、遊技メダルの払い出しは行われず、投入した遊技メダルがホッパ装置ＨＰのメダル貯留部（図示せず）に収容される。このように、スロットマシンＳＭで遊技を行う遊技者は、表示された図柄が予め定められた組み合わせに該当しなかったときには投入した遊技メダルを失うが、表示された図柄が予め定められた組み合わせに該当したときには投入した枚数以上の遊技メダルを獲得しうることとなり、遊技メダルを増やすという興趣を楽しむことができる。
【００３１】
以上のように構成され出荷されたスロットマシンＳＭは、ホール等の遊戯施設に搬入されて遊技島３３に設置される。遊技島３３において、スロットマシンＳＭの横には、遊技者がメダルを貸し受けるためのメダル貸し機１が配置されている。また、スロットマシンＳＭの正面上方には、遊技機に関するデータを表示したり、遊技者がホール店員を呼び出したりするための装置を備え、遊技中の大当たり時等にランプ点灯する報知ランプ８が備えられている。
【実施例１】
【００３２】
本発明の実施例１の構成について図１〜図３及び図７を参照して説明する。
図１に示すように、本実施例のスロットマシンＳＭは、下パネル部２１下方の受け皿７に備え付けられた灰皿２２の真上に、煙草の煙を吸引するための吸気口９を設けている。なお、吸気口９の形成場所は灰皿近傍であればよい。
【００３３】
そして、図２に示すように、吸気口９から吸引された煙は、吸気蛇腹パイプ２３を介して、キャビネットボックス２の内部中央に設けられた棚板１８の上に設置された空気清浄機２５に取り込まれる。空気清浄機２５の電源はスロットマシンＳＭの電源装置ＰＷと連動するが、電源を独立させてＯＮ／ＯＦＦできるようにしてもよい。なお、本実施例では吸気口９と空気清浄機２５を接続する手段として蛇腹パイプを用いたが、前面扉の開閉に支障がない伸縮自在のものであればこれに限られない。
また、吸気蛇腹パイプ２３は、ネジ等の図示しない固定部材によって吸気口９及び空気清浄機２５に取り付けられ、取り外し可能とする。
また、空気清浄機を棚板に設置することにより空気清浄機が着脱可能になるとともに、棚板の高さを調整することにより、設置する空気清浄機の大きさの自由度が上がる。
【００３４】
空気清浄機２５で清浄された空気は、図３に示すように、キャビネットボックス２の裏面に形成された排気パイプ穴３１（図７参照）を通じて空気清浄機２５に接続された排気パイプ２６を介して遊技機の裏側に排気される。例えば、図３に示すように、清浄された空気は遊技島の上方に排気されることによって、遊技場内に設置される空気清浄機にスムーズに吸気され、遊技場内の空気清浄効果がより一層向上する。
【００３５】
よって、本発明の実施例１によれば、遊技機の灰皿近傍に吸気口を設け、かつ筐体内に空気清浄機を備えることによって、大がかりな施設改造を必要とせずに導入できるので、遊戯施設の空気清浄を容易に実現でき、コスト及び手間を削減することができる。
【実施例２】
【００３６】
本発明の実施例２の構成について図４〜図６及び図７を参照して説明する。
上記実施例１と同様、図４に示すように実施例２のスロットマシンＳＭは、下パネル部２１下方の受け皿７に備え付けられた灰皿２２の真上に、煙草の煙を吸引するための吸気口９を設けている。また、吸気口９の近傍に煙草の煙を検知するための煙検知センサ２７、及び受け皿７の上方に遊技者の存在を検知するための対人検知センサ２９を設けている。さらに、上パネル部１９の上部スピーカＳＬの真上にも、吸気口９と同様の吸気口３０と、その近傍に煙検知センサ２８を設けている。この吸気口３０は上気した煙を吸引するためのものである。
なお、吸気口９及び煙検知センサ２７の形成場所は灰皿近傍であればよく、また、吸気口３０及び煙検知センサ２８の形成場所も上部パネルに限られない。また、対人検知センサ２９も、確実に遊技者を検知することができれば、本実施例の設置場所に限られずスロットマシン上のどこでもよいが、前面扉３のスタートレバーや停止ボタン等を備える操作部又は操作部より下方が望ましい。
さらに、吸気口、煙検知センサ、及び対人検知センサの数は、本実施例に限られるものではなく、複数の設置を可能とする。
【００３７】
そして、図５に示すように、吸気口９及び吸気口３０から吸引された煙は、吸気蛇腹パイプ２３及び２４をそれぞれ介して、キャビネットボックス２の内部中央に設けられた棚板１８の上に設置された空気清浄機２５に取り込まれる。なお、本実施例では吸気口９及び３０と空気清浄機２５とを接続する手段として蛇腹パイプを用いたが、前面扉の開閉に支障がない伸縮自在のものであればこれに限られない。
【００３８】
空気清浄機２５で清浄された空気は、実施例１と同様、図６に示すように、キャビネットボックス２の裏面に形成された排気パイプ穴３１（図７参照）を通じて空気清浄機２５に接続された排気パイプ２６を介して遊技機の裏側に排気される。
【００３９】
次に、本発明の実施例２の制御系について図８を参照して説明する。
主基板４０がメダル投入口５からメダルの投入を検知すると、メダル投入検知信号が外部端子基板４１を経て、制御手段４２に送られる。制御手段４２は、メダル投入検知信号の受信によって、待機状態の空気清浄機２５の作動を開始させる。なお、本実施例では、空気清浄機２５はスロットマシンの主電源を入れたときに待機状態となる。
また、上記同様に対人検知センサ２９が遊技者の存在を検知した場合も、制御手段４２は対人検知信号を対人検知センサ２９から受信すると、待機状態の空気清浄機２５の作動を開始させる。
さらに、煙検知センサ２７又は２８が煙草の煙を検知した場合も、制御手段４２は煙検知信号を煙検知センサ２７又は２８から受信すると、待機状態の空気清浄機２５の作動を開始させる。
【００４０】
また、制御手段４２は、上記メダル投入検知信号、対人検知信号、及び煙検知信号を一定時間受信しなかった場合、作動中の空気清浄機２５を停止させる。さらに、対人検知信号を受信していない時、煙検知信号を一定時間受信した場合、スロットマシンＳＭの外部に設置される、報知ランプ８、遊技島に設置される島ランプ、又はホールコンピュータ等の外部報知装置４３を作動させる。ここで、本実施例における「一定時間」とは、遊技者が複数回の遊技を行うのに要する時間とし、例えば、遊技機設計時に予め定められた時間とする。
なお、本実施例では、スロットマシンＳＭ内に制御手段を独立して設ける構成としたが、空気清浄機２５内、又はサブ制御基板内に設けるようにしてもよい。
【００４１】
次に、本発明の実施例２における第１の処理動作について図９を参照して説明する。
空気清浄機２５が待機状態の時（Ｓ１１）、遊技者によりメダル投入口５からメダルが投入されると、制御手段４２はメダル投入信号を受信し（Ｓ１２／ＹＥＳ）、かつ煙センサ２７又は２８が煙を検知した場合（Ｓ１３／ＹＥＳ）、空気清浄機２５を運転させる（Ｓ１４）。
【００４２】
次に、本発明の実施例２における第２の処理動作について図１０を参照して説明する。
空気清浄機２５が待機状態の時（Ｓ２１）、遊技者によりメダル投入口５からメダルが一定時間の間投入されると、制御手段４２はメダル投入信号を受信し（Ｓ２２／ＹＥＳ）、次に一定時間の間対人検知センサ２９からの対人検知信号が有るかどうか（遊技者が遊技台に座って遊戯中であるかどうか）を判断する（Ｓ２３）。対人検知センサ２９から対人検知信号を受信し（Ｓ２３／ＹＥＳ）、煙センサ２７又は２８が煙を検知した場合（Ｓ２３／ＹＥＳ）、空気清浄機２５を作動させる（Ｓ２６）。
【００４３】
ステップＳ２３において、対人検知センサ２９から対人検知信号を受信しなかったにもかかわらず（Ｓ２３／ＮＯ）、煙センサ２７又は２８が煙を検知した場合（Ｓ２５／ＹＥＳ）、外部報知装置４３を作動させて、火災注意信号を出させる（Ｓ２７）。
【００４４】
次に、本発明の実施例２における第３の処理動作について図１１を参照して説明する。
空気清浄機２５が運転状態の時（Ｓ３１）、遊技者によるメダル投入口５からのメダル投入が一定時間されないと、制御手段４２はメダル投入信号を受信せず（Ｓ３２／ＹＥＳ）、かつ煙センサ２７又は２８が煙を一定時間検知せずに、制御手段４２が煙検知信号を受信しなかった場合（Ｓ３３／ＹＥＳ）、空気清浄機２５を停止させ、待機状態にする（Ｓ３４）。
【００４５】
よって、本発明の実施例２によれば、吸気口及び煙検知センサを複数設けることにより、より効率的な空気清浄効果を実現できる。また、遊技台における遊技者の有無、及び煙の有無を検知することによって、空気清浄機のＯＮ／ＯＦＦ動作を自動的に切り替えることができるので省エネが実現できるとともに、対人検知及び煙検知を連動させることにより、遊技台における火災や煙害の防止を早期に発見できる。
【００４６】
以上、本発明の実施例について説明したが、本発明は上記実施例に限定されるものではなく、その要旨を逸脱しない範囲において種々の変形が可能であり、スロットマシン等の回胴遊技機以外の遊技機や弾球遊技機に用いても良い。
【図面の簡単な説明】
【００４７】
【図１】本発明の実施例１に係るスロットマシンの外観を示す正面図である。
【図２】本発明の実施例１に係るスロットマシンの内部構成を示す正面図である。
【図３】本発明の実施例１に係るスロットマシンの内部構成を示す側断面図である。
【図４】本発明の実施例２に係るスロットマシンの外観を示す正面図である。
【図５】本発明の実施例２に係るスロットマシンの内部構成を示す正面図である。
【図６】本発明の実施例２に係るスロットマシンの内部構成を示す側断面図である。
【図７】本発明の実施例１及び２に係るスロットマシンの裏面の外観を示す正面図である。
【図８】本発明の実施例１及び２に係るスロットマシンの内部構成を示すブロック図である。
【図９】本発明の実施例２に係るスロットマシンの第１の動作を示すフロー図である。
【図１０】本発明の実施例２に係るスロットマシンの第２の動作を示すフロー図である。
【図１１】本発明の実施例２に係るスロットマシンの第３の動作を示すフロー図である。
【符号の説明】
【００４８】
ＳＭ    スロットマシン
１    メダル貸し機
２    キャビネットボックス
３    前面扉（フロントマスク）
４    施錠装置
５    メダル投入口
６    メダル払出口
７    受け皿
８    報知ランプ
９，３０    吸気口
１０    演出表示装置
１１    スタートレバー
１２，１３，１４    停止ボタン
１５，１６，１７    演出用ランプ
１８    棚板
１９    上部パネル
２０    中部パネル
２１    下部パネル
２２    灰皿
２３，２４    吸気蛇腹パイプ
２５    空気清浄機
２６    排気パイプ
２７，２８    煙検知センサ
２９    対人検知センサ
３１    排気パイプ穴
３２    配線穴
３３    遊技島
３４    ミニリール装置
３５    サブ制御基板
４０    主制御基板
４１    外部端子板
４２    制御手段
４３    外部報知装置
ＳＲ，ＳＬ    上部スピーカ
Ｓ    下部スピーカ
Ｂ    ベットボタン
Ｒ１，Ｒ２，Ｒ３    （回胴）ミニリール
ＨＰ    ホッパ装置
ＰＷ    電源装置
【図１】
2005176935.tif 000003
【図２】
2005176935.tif 000004
【図３】
2005176935.tif 000005
【図４】
2005176935.tif 000006
【図５】
2005176935.tif 000007
【図６】
2005176935.tif 000008
【図７】
2005176935.tif 000009
【図８】
2005176935.tif 000010
【図９】
2005176935.tif 000011
【図１０】
2005176935.tif 000012
【図１１】
2005176935.tif 000013